(57)【要約】【課題】  ＬＥＤ素子を光源として用い、十分な光量を容易に確保できると共に、電源部の損傷を防ぐことのできるエレベータの照明装置を提供する。【解決手段】  天板５に取り付けられ、天板に形成された開口部に位置するエレベータの照明装置であって、天板に固定された補強枠７に支持され開口部を覆う蓋６に、基板上に複数のＬＥＤ素子９１ａを配置したＬＥＤパネル９１を取り付け、ＬＥＤパネルの下方に対向して照明カバー９２を天板に着脱可能に取り付け、ＬＥＤ素子に電力を供給する電源部９３を補強枠の内側に設けている。【選択図】  図２
2014105067.tif 000002
【特許請求の範囲】
【請求項１】
乗りかごの頂上部となる天板に取り付けられ、前記天板に形成された開口部に位置するエレベータの照明装置であって、
前記天板に固定された補強枠に支持され前記開口部を覆う蓋に取り付けられたＬＥＤ素子を有する光源部と、前記蓋の下方に対向するように配置され、前記開口部を覆うように前記天板に着脱可能に設けられる照明カバーと、前記ＬＥＤ素子に電力を供給する電源部とを有するエレベータの照明装置において、
前記光源部は、基板上に複数の前記ＬＥＤ素子を配置したＬＥＤパネルから構成され、前記照明カバーの上方に対向するように配置され、
前記電源部は、前記補強枠の前記開口部側に設けられ、前記補強枠と前記蓋と前記照明カバーで囲われた空間に配置されていることを特徴とするエレベータの照明装置。
【請求項２】
請求項１において、前記電源部は、前記乗りかごの出入り口側に配置された前記補強枠の内側面に設けられていることを特徴とするエレベータの照明装置。
【請求項３】
請求項１において、前記光源部は、複数のＬＥＤパネルから構成されていることを特徴とするエレベータの照明装置。
【請求項４】
乗りかごの頂上部となる天板に取り付けられ、前記天板に形成された開口部に位置するエレベータの照明装置であって、
前記開口部の周囲に配置され、前記天板に固定された補強枠と、前記補強枠の上部に支持され前記開口部を覆う蓋と、前記蓋に取り付けられたＬＥＤ素子を有する光源部と、前記蓋の下方に対向するように配置され、前記開口部を覆うように前記天板に着脱可能に設けられる照明カバーと、前記ＬＥＤ素子に電力を供給する電源部とを有するエレベータの照明装置において、
前記光源部は、基板上に複数の前記ＬＥＤ素子を配置したＬＥＤパネルから構成され、前記照明カバーの上方に対向するように配置され、
前記電源部は、前記補強枠の前記開口部側に設けられ、前記補強枠と前記蓋と前記照明カバーで囲われた空間に配置されていることを特徴とするエレベータの照明装置。
【請求項５】
請求項４において、前記電源部は、前記乗りかごの出入り口側に配置された前記補強枠の内側面に設けられていることを特徴とするエレベータの照明装置。
【請求項６】
請求項５において、前記乗りかごの出入り口側に配置された前記補強枠は、縦方向に延びる垂直片と、前記垂直片の上部と下部に設けられた横方向に延びる水平片とから構成され、前記垂直片の上部に設けられた前記水平片は、前記開口部側と反対側に延びるように設けられて前記蓋が取り付けられ、前記垂直片の下部に設けられた前記水平片は、前記開口部側に延びるように設けられて前記天板に固定されていることを特徴とするエレベータの照明装置。
【発明の詳細な説明】
【技術分野】
【０００１】
本発明は、エレベータの照明装置に関する。
【背景技術】
【０００２】
エレベータの乗りかご内の照明装置として、近年、省エネ化を図るため、光源としてＬＥＤのような発光素子を用いた照明装置が提案されている（例えば、特許文献１（特開２００７−２２７２０号公報）の実施の形態２を参照。）。
【０００３】
特許文献１では、照明装置の薄型化を図るため、エレベータのかご室を形成する天井意匠面よりもそれぞれ天井裏側に水平方向に設けられ、側端面から入射された光を照射面から出射する導光板と、この導光板の側端面に対向して配設された光源部と、これら導光板及び光源部の水平方向外側に設けられた光源部の点灯回路を備えたエレベータかご室の照明装置が提案されている。また、特許文献１には、導光板の測端面に対向して配設される光源部として、任意の間隔で多数の白色ＬＥＤランプが１列または複数列に配置されたＬＥＤランプユニットを用い、そして、白色ＬＥＤランプを点灯させるための点灯回路としての電源部を、導光板及びＬＥＤランプユニットの水平方向側方部に配設することが提案されている。
【先行技術文献】
【特許文献】
【０００４】
【特許文献１】特開２００７−２２７２０号公報（図１３、図１４）
【発明の概要】
【発明が解決しようとする課題】
【０００５】
しかしながら、前述した従来のものでは、導光板の側端面から入射したＬＥＤ素子の光を照射面から出射する、いわゆる間接照明であり、エレベータの規模や仕様によっては乗りかご内の光量を十分に確保することが難しい。また、前述した従来のものでは、照明装置の薄型化の観点から導光板及び光源部の水平方向外側に電源部を配置しているが、天蓋部を兼用した照明器具天板上に電源部が固定されており、電源部の設置場所によっては、乗りかご上にて行う保守作業の際に、作業員の体や工具と不用意に接触し、損傷するという可能性がある。
【０００６】
本発明の目的は、ＬＥＤ素子を光源として用い、十分な光量を容易に確保できると共に、電源部の損傷を防ぐことのできるエレベータの照明装置を提供することにある。
【課題を解決するための手段】
【０００７】
本発明は、乗りかごの頂上部となる天板に取り付けられ、天板に形成された開口部に位置するエレベータの照明装置であって、天板に固定された補強枠に支持され開口部を覆う蓋に取り付けられたＬＥＤ素子を有する光源部と、蓋の下方に対向するように配置され、開口部を覆うように天板に着脱可能に設けられる照明カバーと、ＬＥＤ素子に電力を供給する電源部とを有するエレベータの照明装置において、光源部は、基板上に複数のＬＥＤ素子を配置したＬＥＤパネルから構成され、照明カバーの上方に対向するように配置され、電源部は、補強枠の開口部側に設けられ、補強枠と蓋と照明カバーで囲われた空間に配置されていることを特徴とする。
【発明の効果】
【０００８】
本発明によれば、ＬＥＤ素子を光源として用い、乗りかご内照明装置として十分な光量を容易に確保できると共に、電源部の損傷を防ぐことができる。
【０００９】
上記した以外の課題、構成及び効果は、以下の実施形態の説明により明らかにされる。
【図面の簡単な説明】
【００１０】
【図１】本発明の一実施例のエレベータの照明装置を備えたエレベータの乗りかごの縦断面図である。
【図２】本発明の一実施例のエレベータの照明装置の要部拡大図である。
【図３】本発明の一実施例のエレベータの照明装置を備えたエレベータの乗りかごの頂上部の平面図である。
【図４】本発明の一実施例のエレベータの照明装置の照明カバーを取外した状態を示す縦断面図である。
【図５】本発明の一実施例のエレベータの照明装置の照明カバーを取外し、照明装置のメンテナンスを行っている状態を示す説明図である。
【図６】本発明の一実施例のエレベータの照明装置を備えたエレベータの乗りかごの蓋を取外した状態を示す平面図である。
【図７】本発明の一実施例のエレベータの照明装置を備えたエレベータの乗りかごの蓋を取外し、照明装置のメンテナンスを行っている状態を示す説明図である。
【発明を実施するための形態】
【００１１】
以下、図面を参照しながら本発明に係るエレベータの照明装置の実施例を説明する。
【００１２】
エレベータの乗りかご１は、図１に示すように、床２と、出入口となるドア４と、ドア４側を除いて床２の三辺に設けられる側板３と、頂上部となる天板５と、この天板５に形成される開口を覆う蓋６と、天板５に固定され、蓋６を支持する補強枠７と、天板５の上部に設置される換気扇８と、天板５に蓋６や補強枠７等を介して取付けられ、天板の開口部の上方に位置する照明装置９とを有している。
【００１３】
図２及び図３に示すように、照明装置９は、天板５の開口部を覆うように設けられている。そして、照明装置９は、主な構成として、ＬＥＤパネル９１（９１Ａ，９１Ｂ）と、透光性の照明カバー９２と、電源部９３と、点灯回路９４と、停電灯９５を有する。ＬＥＤパネル９１は光源部を構成する。
【００１４】
ＬＥＤパネル９１は、平面基板上に複数のＬＥＤ素子９１ａを配置して構成されている。また、ＬＥＤパネル９１は下方の照明カバー９２に対向するように配置されている。本実施例では、ＬＥＤパネル９１Ａがメインの光源部であり、ＬＥＤパネル９１Ｂは、エレベータの乗りかごの規模などに応じて光量を調節するために適宜追加される光源部である。すなわち、本実施例では、生産性を向上するため、各種エレベータに汎用的に用いられる光源部としてのＬＥＤパネル９１Ａと、エレベータの仕様に応じて適宜追加される光源部としてのＬＥＤパネル９１Ｂとに分けて構成している。但し、ＬＥＤパネル９１Ｂを設けることなく、一つのＬＥＤパネル９１Ａで光源部を構成しても良い。また、ＬＥＤパネル９１には停電灯９５が取り付けられている。
【００１５】
透光性の照明カバー９２は、ＬＥＤパネル９１（９１Ａ，９１Ｂ）の下方に対向するように、また、天板５の開口部を覆うように、天板５に対して固定部９６を用いて着脱可能に設けられている。固定部９６の詳細については後述する。
【００１６】
電源部９３は、外部電源から電力線（図示省略）を介して供給される電力の電圧をＬＥＤ素子９１ａの点灯に適した電圧に変換する電圧変換装置である。
【００１７】
点灯回路９４は、ＬＥＤ素子９１ａのオン・オフを行う回路であり、エレベータ制御装置（図示省略）からの信号によってオン・オフ制御を行う。即ち、呼びボタンが押されてドアが開く所定時間前にＬＥＤ素子９１ａが点灯するように、また、乗りかご内にエレベータ利用者がいなくなりドアが閉じて所定時間後に消灯するように、エレベータ制御装置から点灯回路９４に制御信号が送られ、この制御信号に基づき、点灯回路９４においてＬＥＤ素子９１ａのオン・オフ制御を行う。点灯回路９４とＬＥＤパネル９１（９１Ａ，９１Ｂ）とは電気配線やコネクタなど（図示省略）を介して接続されている。
【００１８】
本実施例にあっては、電源部９３から点灯回路９４を介してＬＥＤパネル９１（９１Ａ，９１Ｂ）に電力が供給され、この電力は各ＬＥＤ素子９１ａに行き渡って各ＬＥＤ素子９１ａが発光し、各ＬＥＤ素子９１ａの発光によって照明カバー９２を介して真上から乗りかご１内を照らす。
【００１９】
ＬＥＤパネル９１（９１Ａ，９１Ｂ）は、蓋６に取り付けられている。蓋６は、天板５に固定された補強枠に対して着脱可能に取り付けられている。
【００２０】
本実施例では、補強枠７は、図３に示すように、乗りかごの幅方向に配置された二つの補強枠７ａと、乗りかごの奥行方向に配置された二つの補強枠７ｂによって構成されている。本実施例では、補強枠７ａと補強枠７ｂは、それぞれ、縦方向に延びる垂直片と、横方向に延びる水平片によって構成され、水平片は垂直片の上部と下部からそれぞれ反対方向に延びるように設けられている。二つの補強枠７ａは、天板５の開口部を挟んで対向して配置され、また、上部の水平片７１が開口部側とは反対方向に延びるように、それぞれ天板５に配置及び固定されている。二つの補強枠７ｂは、天板５の開口部を挟んで対向するように配置され、また、上部の水平片が開口部側に延びるように、それぞれ天板５に配置及び固定されている。また、補強枠７ａは対向する補強枠７ｂの間に位置している。
【００２１】
上述した蓋６は、図２に示すように、端部側が補強枠の水平片７１と対向するように設けられ、補強枠の水平片７１にボルト１０を介して着脱可能に取り付けられている。
【００２２】
ドア（乗りかご出入り口）側に位置する補強枠７ａの内側（開口部側）には、電源部９３と点灯回路９４が取り付けられている。その結果、電源部９３と点灯回路９４は、補強枠７ａ，７ｂと、蓋６と、照明カバー９２で囲われた空間に配置されるようになっている。
【００２３】
照明カバー９２を天板５に固定する固定部９６について詳述する。
【００２４】
固定部９６は、図２及び図３に示すように、抑えばね板９６ａと、ストッパボルト９６ｂ、ストッパボルト９６ｃから構成される。抑えばね板９６ａは、ドア（乗りかご出入口）側の補強枠７ａに配置され、補強枠７ａの下部の水平片７２を立ち上げた部分にボルトによって取り付けられており、照明カバー９２が取り付けられたとき、照明カバー９２を乗りかごの奥行き側に押圧する。ストッパボルト９６ｂは、抑えばね板９６ａの上方に配置され、かつ、抑えばね板９６ａの先端側に取り付けられ、照明カバー９２の跳ね上がりを抑止する。ストッパボルト９６ｃは、乗りかご奥行き側の補強枠７ａに配置され、照明カバー９２の跳ね上がりを防止する。固定部９６は補強枠に取り付けるのが望ましいが、天板５に取り付けるようにしても良い。
【００２５】
照明装置９のメンテナンスの方法について図面を用いて説明する。
【００２６】
先ず、図４及び図５を用いて乗りかご１内から照明装置９のメンテナンスを行う場合について説明する。
【００２７】
照明カバー９２を抑えばね板９６ａのばね力に逆らって乗りかご出入口方向に押し、照明カバー９２の乗りかご奥行き側を天板５から解放し、次いで、図４に示すように、照明カバー９２を乗りかご奥行き側へ、斜め下方向にスライドさせ取外す。この状態で、図５に示すように、作業員は照明装置９のメンテナンスを行う。電源部９３及び点灯回路９４が、補強枠７の内側にあって、乗りかご出入口側に配置されているので、乗りかご１内で作業員がメンテナンスを行う際、作業員は乗りかご出入口方向を向いて作業することができるので、不意に乗りかご１内に誰かが入ってきたとしても、そちらに注意を向けることが容易であり、安全である。また、補強枠７ａの下部の水平片７２が開口部側に延びるように構成及び配置されていることよって、照明カバー９２を取り外したときでも、作業員の体や工具が不用意に電源部９３及び点灯回路９４に接触することを低減し、それらの損傷を防ぐことができる。
【００２８】
次に、図６及び図７を用いて乗りかご１上から照明装置９のメンテナンスを行う場合について説明する。
【００２９】
ボルト１０を緩めて、図６に示すように、蓋６を補強枠７から取外す。この状態で、図７に示すように、作業員は照明装置９のメンテナンスを行う。このとき、電源部９３及び点灯回路９４は補強枠７の内側に配置されているので、作業員の体や工具が不用意に接触することを低減し、損傷を防ぐことができる。また、補強枠の上部の水平片７１が天板５の開口部と反対方向に延びるように配置されているので、蓋６を取り外したときに、電源部９３と点灯回路９４のメンテナンスが容易となる。
【００３０】
本実施例によれば、光源部を平面基板上に複数のＬＥＤ素子９１ａを配置したＬＥＤパネル９１（９１Ａ，９１Ｂ）とすることで、照明カバー９２を介して真上から乗りかご１内全体を照射できることから、照明装置９として十分な光量を容易に確保することができ、これによって、顧客（エレベータ利用者）のニーズに応えることができる。また、補強枠７の内側に電源部９３を配置することで電源部９３の損傷を防ぎ、信頼性の高い装置とすることができる。
【００３１】
また、長尺物を持った利用者が乗りかご１に乗り込んだ際、長尺物によって照明カバー９２を突き破ったとしても、本実施例では、電源部９３及び点灯回路９４が利用者の進行方向とは逆方向に配置されるので、損傷を免れやすい。
【００３２】
上述の実施例では、蓋６と補強枠７（７ａ，７ｂ）は、照明装置９の構成要素としてではなく、照明装置９を取り付ける側の部材として説明したが、天板５への照明装置９の取り付けという観点から、蓋６と補強枠７も含めて照明装置と定義することもできる。即ち、本発明では、照明装置は、蓋６と補強枠７を含める場合と含めない場合の両者を含むものである。
【００３３】
また、本発明は、新設のエレベータに適用する場合は勿論のこと、既設のエレベータの照明装置を交換する場合にも適用できる。
【００３４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加，削除，置換をすることが可能である。
【符号の説明】
【００３５】
１  乗りかご
５  天板
６  蓋
７，７ａ，７ｂ  補強枠
９  照明装置
９１，９１Ａ，９１Ｂ  ＬＥＤパネル
９１ａ  ＬＥＤ素子
９２  照明カバー
９３  電源部
９４  点灯回路
９６  固定部
９６ａ  抑えばね板
９６ｂ、９６ｃ  ストッパボルト
【図１】
2014105067.tif 000003
【図２】
2014105067.tif 000004
【図３】
2014105067.tif 000005
【図４】
2014105067.tif 000006
【図５】
2014105067.tif 000007
【図６】
2014105067.tif 000008
【図７】
2014105067.tif 000009